【手続補正書】
【提出日】平成30年8月9日(2018.8.9)
【手続補正１】
【補正対象書類名】特許請求の範囲
【補正対象項目名】全文
【補正方法】変更
【補正の内容】
【特許請求の範囲】
【請求項１】
肺組織及び気道を有する肺を治療するための送達システムであって、前記気道が目標ゾーンを有し、前記送達システムが、
近位端と遠位端の間に延びる細長い可撓性のインプラント支持体であり、前記遠位端は、前記遠位端が前記目標ゾーンの遠位部に隣接するように前記肺の前記気道の中へ遠位に前進させられるように構成され、
入力移動を定めるべく移動可能な入力部と、
前記インプラント支持体によって解放可能に支持可能な第１のインプラントであり、前記第１のインプラントは、近位部と遠位部との間に延びる細長い本体を有し、前記目標ゾーンに隣接する肺組織を圧縮するべく前記インプラント支持体に沿って延びる軸方向構成から配備構成へ前記目標ゾーンに沿って配備するように構成され、
前記インプラントの前記遠位部が前記気道目標ゾーンの前記遠位部に沿って前記肺組織と係合するときに、前記入力移動に応答して、前記リンク機構が、
第１の送達システム出力移動を定めるべく前記第１のインプラントの近位端を前記気道に沿って前記肺組織に対して遠位に動かし、
第２の送達システム出力移動を定めるべく前記第１の送達出力移動と協調して前記インプラント支持体を前記気道目標ゾーンに沿って前記肺組織に対して近位に動かし、
前記第１のインプラントの遠位部の付近の前記インプラントの一部が軸方向構成から配備構成へ次第に戻るように前記第１の出力移動及び前記第２の出力移動を協調して行う、
ように前記入力を前記インプラント支持体の前記近位端に及び前記第１のインプラントに結合するリンク機構と、
を備える送達システム。
【請求項２】
前記第１の入力移動が前記入力部を入力移動方向に入力変位距離だけ連続的に動かすことを含むときに、前記リンク機構が前記第１の及び第２の送達システム出力移動をもたらすように構成される、請求項1に記載の送達システム。
【請求項３】
前記第１の送達システム出力移動が前記インプラントを第１の距離だけ遠位に動かすことを含み、前記第２の送達システム出力移動が前記支持体を第２の距離だけ近位に動かすことを含み、前記送達システムが、前記インプラント支持体からの前記第１のインプラントの配備時に前記第１のインプラントの前記近位部の軸方向の回復変位が所望の範囲内であるように前記第１のインプラントと前記肺組織との間の軸方向負荷を減少させるべく前記第１の距離と前記第２の距離を協調的に調整する、請求項2に記載の送達システム。
【請求項４】
前記距離のうちのより短い方が、前記距離のうちのより長い方とは９０％未満だけ異なる、請求項3に記載の送達システム。
【請求項５】
第２のインプラントをさらに備え、前記送達システムが、
第３の送達システム出力移動を定めるべく前記第２のインプラントの近位部を別の気道目標ゾーンの方へ遠位に動かし、
第４の送達システム出力移動を定めるべく前記第３の送達出力移動と協調して前記送達システムの遠位端を前記他方の気道目標ゾーンに沿って肺組織に対して近位に動かす、
ように構成され、前記第２のインプラントの長さが前記第１のインプラントの長さとは異なり、前記協調した第３の及び第４の送達システム出力移動がそれぞれ第３の距離及び第４の距離を有し、前記第３の距離及び前記第４の距離が、前記インプラント支持体からの前記第２のインプラントの配備時に前記第２のインプラントの近位部の軸方向の回復変位が所望の範囲内であるように、前記第２のインプラントの遠位部の付近の前記インプラントの一部が拘束構成から組織圧縮構成へ次第に戻るように、前記インプラントの長さに関してそれぞれ前記第１の距離及び前記第２の距離とは異なる、
請求項4に記載の送達システム。
【請求項６】
前記送達システムが管状のアクセス装置を備え、前記リンク機構が、前記送達システムの近位端に隣接する前記アクセス装置に結合可能な複数の代替的な選択可能なリンク機構のうちの１つであり、前記リンク機構が、それぞれ、前記送達システムの遠位端と、関連するインプラント長を有する順次の一連のインプラントとの関連する協調した移動をもたらすように構成される、請求項5に記載の送達システム。
【請求項７】
前記リンク機構のうちの１つが、前記第１のインプラントに軸方向に結合可能な第１のラックと、前記支持体に軸方向に結合可能な第２のラックと、その回転が対向する第１及び第２の出力モーションを誘起するように両方のラックの間に配置され、かつ係合するピニオンとを含む、請求項6に記載の送達システム。
【請求項８】
前記リンク機構のうちの１つが、滑車と、前記第１のインプラントと軸方向に結合可能な第１の端及び前記支持体と軸方向に結合可能な第２の端を有する可撓性のテザーとを含み、前記テザーが、前記テザーの移動が前記対向する第１及び第２の出力モーションを誘起するように前記端間で前記滑車と係合する、請求項6に記載の送達システム。
【請求項９】
前記リンク機構が、
第１のコマンド信号により前記第１の送達システム出力移動で前記第１のインプラントをベースに対して動かすべく前記第１のインプラントと作動可能に結合可能な第１の動力付与アクチュエータと、
第２のコマンド信号により前記第２の送達システム出力移動で前記インプラント支持体を前記ベースに対して動かすべく前記インプラント支持体と作動可能に結合可能な第２の動力付与アクチュエータと、
を備え、
プロセッサが、前記動力付与アクチュエータに結合され、前記プロセッサが、前記第１のインプラントのサイズに関連した第１のインプラント信号を受信し、前記インプラント信号に応答してコマンド信号を伝送するように構成され、
前記プロセッサが、前記第２のインプラントのサイズに関連した第２のインプラント信号に応答して代替的なコマンド信号を前記アクチュエータに伝送する、
請求項5に記載の送達システム。
【請求項１０】
前記第１のインプラント信号及び前記第２のインプラント信号が、前記インプラントに関連した無線周波数識別（ＲＦＩＤ）コード、バーコード、２Ｄマトリクスコード、ＱＲコード、磁気コード、又はスペクトルバーコードを用いて生成される、請求項9に記載の送達システム。
【請求項１１】
前記支持体が、前記第１のインプラントを受け入れ、前記インプラントをまっすぐにされた構成で内部に拘束するための管腔を有する送達カテーテルと、前記管腔内で前進可能であり、前記インプラントに解放可能に軸方向に取り付けられるシャフトと、作業チャネル及び画像取り込み装置を有する気管支鏡とを備え、前記作業管腔が前記送達カテーテルを内部に受け入れ、前記リンク機構のベースが、前記第１の及び第２の出力送達移動中に前記気管支鏡及び前記肺組織に対して軸方向に拘束可能である、請求項1に記載の送達システム。
【請求項１２】
前記リンク機構が、最初の係合移動を定めるべく前記インプラントを前記インプラント支持体及び前記肺組織に対して最初の係合距離だけ遠位に動かすことによって最初に前記第１のインプラントの遠位部を前記肺組織と係合させるように構成され、前記最初の係合距離が約１０ｍｍ〜約４０ｍｍの範囲内である、請求項1に記載の送達システム。
【請求項１３】
前記送達システムが、前記第１の入力移動に応答して前記最初の係合移動を誘起する、請求項12に記載の送達システム。
【請求項１４】
前記第１のインプラントの遠位部が、軸方向の弧長をもつ遠位円弧部を有し、前記リンク機構が、前記遠位円弧部が前記隣接する気道と横方向に係合するように、前記肺組織に対する前記第１のインプラントの軸方向位置を維持しながら、前記インプラント支持体を前記第１のインプラントに対して前記軸方向の弧長に対応する距離だけ近位に後退させることによる遠位部係合移動で、前記第１のインプラントの前記遠位部を前記肺組織に係合するように構成され、前記軸方向の弧長が約２０ｍｍ〜約７５ｍｍの範囲内である、請求項12に記載の送達システム。
【請求項１５】
前記リンク機構が、前記遠位部係合移動が前記第１の入力移動によって誘起されるように構成される、請求項14に記載の送達システム。
【請求項１６】
前記リンク機構が、前記気管支鏡を越えて遠位に前進する前記第１のインプラントの近位端に応答して前記第１の出力移動を休止する、前記インプラントの近位の前記インプラント支持体を近位に後退させる、及び／又は前記インプラントから前記シャフトを再取り込み可能に取り外すように構成される、請求項12に記載の送達システム。
【請求項１７】
不揮発性のコンピュータ可読記憶媒体と結合可能なプロセッサをさらに備え、前記プロセッサが、前記送達システムの作動に関連したデータを前記媒体上に記録するように構成される、請求項１に記載の送達システム。